(57)【要約】      （修正有）【課題】この考案の目的は、環状装身具の止着部位の一端側、あるいは両端側に設けた止着板の板面に磁石を取り付け、互いの板面を吸着するようにした止着具であって、なおかつゲルマニウムピースを取り付けて健康増進を図ることができるようにした環状装身具の止着具を提供することにある。【解決手段】環状の装身具本体１の自由端部を止着する装飾用の止着具において、止着具の係止機構が、装身具本体の自由端部に取り付けた一対の連結体を組み付けるものであり、さらに前記一対の連結体の少なくとも片方の連結体の、皮膚に触れる面にゲルマニウムピース１２，１３を固着したことを特徴とする環状装身具の止着具。【選択図】  図２
0003119855.tif 000002
【実用新案登録請求の範囲】
【請求項１】
環状の装身具本体の自由端部を止着する装飾用の止着具において、止着具の係止機構が、装身具本体の自由端部に取り付けた一対の連結体を組み付けるものであり、さらに前記一対の連結体の少なくとも片方の連結体の、皮膚に触れる面にゲルマニウムピースを固着したことを特徴とする環状装身具の止着具。
【請求項２】
止着具の係止機構が、装身具本体の自由端部に取り付けた一対の連結体の盤面の互いに対向する面にそれぞれ磁性体を固着するとともに、一対の連結体を強固に固着するための凹部と凸部をそれぞれ設けたものであり、さらに前記一対の連結体の少なくとも片方の連結体の、磁性体を取り付けていない面において、磁性体位置からずらした位置に、ゲルマニウムピースを固着したことを特徴とする請求項１記載の環状装身具の止着具。
【請求項３】
磁性体、ゲルマニウムピースの固着手段が、接着剤、爪止め等の抜止め機構、スライド溝へのはめ込み等の適宜手段から選ばれてなる請求項１または２記載の環状装身具の止着具。
【考案の詳細な説明】
【技術分野】
【０００１】
この考案は、ネックレスやペンダント、ブレスレット等の環状装身具において、その端部同志を連結する止着具に関する。
【背景技術】
【０００２】
従前より、環状装身具の止着構造としては、種々のものが提供されているが、そのひとつに永久磁石を用いて装身具の端部同志を止着する手段が知られている。永久磁石を用いた一般的な止着手段としては、環状装身具の止着部位の一端側、あるいは両端側の接続端部に永久磁石を設け、この端部同志を磁力で吸着させることによって装身具を環状に連結するようにしたものがあり、この止着手段は、装身具端部の連結のための構造として広く採用されている。
【０００３】
特に、環状装身具の止着部位の一端側、あるいは両端側に設けた止着板の板面に磁石を取り付け、互いの板面を吸着するようにしたものとして特開２００３−３１４公報（特許文献１参照）や特開２００２−２１９０１２公報（特許文献２参照）、特開２０００−３２５１１６公報（特許文献３参照）、登録実用新案第３０５５４４６号公報（特許文献４参照）、実開平４−７４０１６号公報（特許文献５参照）に示すものが知られている。
【０００４】
また、特開２００３−３１０３１７公報（特許文献６参照）や特開２００３−１１６６１３公報（特許文献７参照）、特開平１１−２８５５４１号公報（特許文献８参照）、特開平１１−２８５５４３号公報（特許文献９参照）、登録実用新案第３０９４４９０号公報（特許文献１０参照）等においては、ゲルマニウムピースを取り付けた装身具について示されている。
【特許文献１】特開２００３−３１４公報
【特許文献２】特開２００２−２１９０１２公報
【特許文献３】特開２０００−３２５１１６公報
【特許文献４】登録実用新案第３０５５４４６号公報
【特許文献５】実開平４−７４０１６号公報
【特許文献６】特開２００３−３１０３１７公報
【特許文献７】特開２００３−１１６６１３公報
【特許文献８】特開平１１−２８５５４１号公報
【特許文献９】特開平１１−２８５５４３号公報
【特許文献１０】登録実用新案第３０９４４９０号公報
【考案の開示】
【考案が解決しようとする課題】
【０００５】
しかしながら、環状装身具の止着部位の一端側、あるいは両端側に設けた止着板の板面に磁石を取り付け、互いの板面を吸着するようにした止着具であって、なおかつゲルマニウムピースを取り付けて健康増進を図るようにした装身具については何ら提案されていなかった。
【０００６】
この考案は、このような従来の課題に鑑みて開発したものであり、その目的とするところは、環状装身具の止着部位の一端側、あるいは両端側に設けた止着板の板面に磁石を取り付け、互いの板面を吸着するようにした止着具であって、なおかつゲルマニウムピースを取り付けて健康増進を図ることができるようにした環状装身具の止着具を提供することにある。
【課題を解決するための手段】
【０００７】
上記の目的を達成するために、この考案の環状装身具の止着具は、環状の装身具本体の自由端部を止着する装飾用の止着具において、止着具の係止機構が、装身具本体の自由端部に取り付けた一対の連結体を組み付けるものであり、さらに前記一対の連結体の少なくとも片方の連結体の、皮膚に触れる面にゲルマニウムピースを固着したことを特徴とするものである。
【０００８】
この考案の環状装身具の止着具は、止着具の係止機構が、装身具本体の自由端部に取り付けた一対の連結体の盤面の互いに対向する面にそれぞれ磁性体を固着するとともに、一対の連結体を強固に固着するための凹部と凸部をそれぞれ設けたものであり、さらに前記一対の連結体の少なくとも片方の連結体の、磁性体を取り付けていない面において、磁性体位置からずらした位置に、ゲルマニウムピースを固着したことをも特徴とするものである。
【０００９】
この考案の環状装身具の止着具は、前記磁性体、ゲルマニウムピースの固着手段が、接着剤、爪止め等の抜止め機構、スライド溝へのはめ込み等の適宜手段から選ばれてなることをも特徴とするものである。
【考案の効果】
【００１０】
この考案によれば、環状装身具の止着部位の一端側、あるいは両端側に設けた止着板に磁石等の係止機構を取り付け、互いの板面を固着するようにした止着具であって、なおかつゲルマニウムピースを取り付けて健康増進を図ることができるようにした環状装身具の止着具を提供することが可能となった。
【考案を実施するための最良の形態】
【００１１】
以下、この考案における環状装身具の止着具の実施形態を、図面に基いて具体的に説明する。
図１はこの考案における環状装身具の止着具の一実施例を示す分解状態の斜視図、図２は分解状態の断面図、図３は連結状態の断面図である。
【００１２】
図において１は、環状の装身具本体であり、本例では、金属製のネックレスであるが、これ以外に、チェーンやロープ、紐等による真珠等を用いたネックレス、ブレスレット、チョーカー等の環状の装身具が包含され、この装身具本体１の自由端部を止着して環状を形成するようにしている。一対の止着体２と止着体３は、それぞれバチカン等の連結部４を介して環状の装身具本体１の両端に連結されている。それぞれの止着体２、３は、ほぼ板状をなし、この止着体２、３の止着面５、止着面６同志を止着することによって、装身具本体１の自由端部を止着して環状の装身具を構成する。
【００１３】
図中、７はコバルト系磁石等の希土類磁石からなる磁性体であり、この各磁性体７は、図２および図３に示すように装身具本体１の止着体２、３のそれぞれの止着面５、６のほぼ中央に設けた凹所８に収納され、凹所８の周囲を伏せ込むことによって固着されている。もちろん、この固着手段としては、上記伏せ込みや爪止め等の抜止め機構、凹所に代えて設けたスライド溝へのはめ込み、接着剤等の手段から適宜選択、あるいは組み合わせて使用することができる。
前記一対の磁性体７は、吸着面の磁極を異ならせて設け、対向する磁石が吸着するように設けることが必要である。
【００１４】
前記装身具本体１の止着体２、３のそれぞれの止着面５、６には、一対の止着体２、３を強固に保持するための凹部と凸部が形成してある。この実施例においては、前記凸部として先端に膨頭部１０を形成した柱状体９が、凹部として前記柱状体９をはめ込むことが可能な、上端を開口した筒状孔１１が、それぞれ磁性体７の両側において逆転するよう配置してある。したがって、前記装身具本体１の止着体２、３は各磁性体７同士のみならず、凹部と凸部との結合によっても迅速かつ強固に固着することができる。
【００１５】
前記一方の止着体３の、磁性体７の止着面６とは反対側の面には、磁性体７の取付位置とはずらした位置にゲルマニウムピース１２、１３が固着されている。
図では磁性体７の取付位置を挟んで両側の対応する位置に、一対のゲルマニウムピース１２、１３が固着されている。前記ゲルマニウムピース１２、１３の取付に際しては、前記磁性体７と同様の固着手段を採用することができる。すなわち固着手段としては、上記伏せ込みや爪止め等の抜止め機構、凹所に代えて設けたスライド溝へのはめ込み、接着剤等の手段から適宜選択、あるいは組み合わせて使用することができる。
【００１６】
この実施例の環状装身具の止着具の使用に際しては、一対の止着体２、３を磁性体７を固着した止着面５、６で重ね合わせて互いの磁性体７同士を吸着させ、環状装身具の両端を連結して環状にすることによってネックレス等として使用する。
その際、止着具の使用者の肌と接する面には所定間隔で一対のゲルマニウムピース１２、１３が取り付けられているので、使用者はゲルマニウムピース１２、１３の半導体作用によって健康増進を図ることができるのである。
他方、止着体３の止着面６に取り付けた一対のゲルマニウムピース１２、１３の間には、前記磁性体７による磁気作用が働き、ゲルマニウムピース１２、１３による健康増進作用と、磁性体７の磁気による健康増進作用とが相まって、よりいっそうの健康増進作用を達成することが可能となる。
【００１７】
また、装着中は、止着面５、６同志が自然に回転したり、ずれたりすることがなく、さらに、磁性体７を止着体２、３に設ける際に、各々の止着面５、６において異極が磁着面になるように磁性体７を設けるようにしているので、止着面５、６同志を止着する際に止着体２、３の方向性を決定することができ、吸着性能を更に向上させることができる。
【００１８】
止着体２、３の止着状態の解除（取外し）は、止着体２、３の端部を指で持ち上げるようにして各磁性体７同志を引きはがすようにして外すことができるので、簡単に取り外すことができる。
【００１９】
前記実施例においては一対の止着体２、３の連結を止着面５、６に固着した磁性体７で行なう場合について説明したが、止着体３の止着面６に一対のゲルマニウムピース１２、１３を取り付けることを前提として、実開５５−１６６５８号公報に記載されているような止金具の構造（Ｖ字ばね式）を採用してもよい。
すなわち、弾性金属板を折返して相対向するＶ字形のばねを設け、このＶ字形のばね板のうちの一方のばね板の端縁には、ネックレスなどの装身具の一端を連結する連結部を設け、上記Ｖ字形のばね板のうちの他方のばね板の端縁には、押圧突起を設けて成る係止金具と、中空の止め金具本体の側壁に、上記係止金具を挿入する挿入口と、ネックレスなどの装身具の他端を連結する連結部とを設け、上記挿入口の口辺のうち、上記係止金具の挿入時に上記押圧突起と対向する個所には、同押圧突起が上記ばね板のばね圧を受けて係合するように切欠した係合縁を設けた止め金具本体とから成る装身具用止め金具であってもよい。
もちろん、上記この考案の趣旨を損なわない限り、磁性体やＶ字ばね式に限られることはない。
【産業上の利用可能性】
【００２０】
この考案は、ネックレスやペンダント、ブレスレット等の環状装身具において、その端部同志を連結するためばかりでなく、連結を要する装身具であればいかなるものにも適用することができる。
【図面の簡単な説明】
【００２１】
【図１】この考案における環状装身具の止着具の一実施例を示す分解状態の斜視図である。
【図２】分解状態の断面図である。
【図３】連結状態の断面図である。
【符号の説明】
【００２２】
１  装身具本体
２、３  止着体
４  連結部
５、６  止着面
７  磁性体
８  凹所
９  柱状体
１０  膨頭部
１１  筒状孔
１２、１３  ゲルマニウムピース
【図１】
0003119855.tif 000003
【図２】
0003119855.tif 000004
【図３】
0003119855.tif 000005